(57)【要約】【課題】駐車場を効率的に利用できる可能性を高める技術の提供。【解決手段】駐車場が予約されている期間である予約期間を取得する予約状況取得部と、前記予約期間に基づいて、前記駐車場の利用率を取得する利用率取得部と、前記利用率が低いほど短くなる付加期間を前記予約期間に付加して予約不可能期間とし、当該予約不可能期間を除いた予約可能期間内の予約を受け付ける予約受付部と、を備える予約管理システムが構成される。【選択図】図３
2019020827.tif 000002
【特許請求の範囲】
【請求項１】
駐車場が予約されている期間である予約期間を取得する予約状況取得部と、
前記予約期間に基づいて、前記駐車場の利用率を取得する利用率取得部と、
前記利用率が低いほど短くなる付加期間を前記予約期間に付加して予約不可能期間とし、当該予約不可能期間を除いた予約可能期間内の予約を受け付ける予約受付部と、
を備える予約管理システム。
【請求項２】
前記利用率が閾値以下である場合、前記付加期間は０になる、
請求項１に記載の予約管理システム。
【請求項３】
前記付加期間は、前記利用率の低下に伴って逓減する、
請求項１または請求項２のいずれかに記載の予約管理システム。
【請求項４】
前記駐車場は、予約された場合に利用可能になる予約駐車枠とあいていれば利用可能である一般駐車枠とを含む、
請求項１〜請求項３のいずれかに記載の予約管理システム。
【請求項５】
前記利用率は、前記予約駐車枠の利用比率である、
請求項４に記載の予約管理システム。
【請求項６】
前記一般駐車枠の前記利用率が上昇した場合、上昇していない場合よりも前記予約駐車枠の前記利用率に対応する前記付加期間の長さが長くなる、
請求項５に記載の予約管理システム。
【請求項７】
前記利用率は、前記一般駐車枠の利用比率である、
請求項４〜請求項６のいずれかに記載の予約管理システム。
【請求項８】
駐車場の予約不可能期間と予約可能期間との少なくとも一方を表示する表示部と、
前記予約可能期間内の予約を指示する予約指示部と、を備え、
前記予約不可能期間は、前記駐車場の利用率が低いほど短くなる、
予約システム。
【請求項９】
コンピュータを、
駐車場が予約されている期間である予約期間を取得する予約状況取得部、
前記予約期間に基づいて、前記駐車場の利用率を取得する利用率取得部、
前記利用率が低いほど短くなる付加期間を前記予約期間に付加して予約不可能期間とし、当該予約不可能期間を除いた予約可能期間内の予約を受け付ける予約受付部、
として機能させる予約管理プログラム。
【発明の詳細な説明】
【技術分野】
【０００１】
本発明は、予約管理システム、予約システムおよび予約管理プログラムに関する。
【背景技術】
【０００２】
従来、駐車場の予約状況を管理する予約管理システムが知られている。例えば、特許文献１には、予約退場時刻を超過しても退場していない超過滞在車両が発見された場合に、既にそのロットに割り付けられた予約を割り付け可能な他のロットに変更する技術が開示されている。
【先行技術文献】
【特許文献】
【０００３】
【特許文献１】特開平９−１６８９８号公報
【発明の概要】
【発明が解決しようとする課題】
【０００４】
上述した従来技術は、既存の予約を割り付け可能な他のロットが存在しなければ機能しない。
本発明は、前記課題にかんがみてなされたもので、駐車場を効率的に利用できる可能性を高めることを目的とする。
【課題を解決するための手段】
【０００５】
上記の目的を達成するため、予約管理システムは、駐車場が予約されている期間である予約期間を取得する予約状況取得部と、予約期間に基づいて、駐車場の利用率を取得する利用率取得部と、利用率が低いほど短くなる付加期間を予約期間に付加して予約不可能期間とし、当該予約不可能期間を除いた予約可能期間内の予約を受け付ける予約受付部と、を備える。
【０００６】
また、上記の目的を達成するため、予約管理プログラムは、コンピュータを、駐車場が予約されている期間である予約期間を取得する予約状況取得部、予約期間に基づいて、駐車場の利用率を取得する利用率取得部、利用率が低いほど短くなる付加期間を予約期間に付加して予約不可能期間とし、当該予約不可能期間を除いた予約可能期間内の予約を受け付ける予約受付部、として機能させる。
【０００７】
すなわち、駐車場を予約する利用者の全てが予約期間を厳守するとは限らないため、予約管理システムにおいては、予約期間に付加期間を付加して予約不可能期間とする。従って、新たな予約が行われる場合、予約不可能期間を除いた予約可能期間内で予約を受け付けることになる。しかし、利用者が予約期間を厳守した場合、当該付加期間は、利用されない期間となり、駐車場の利用効率を低下させてしまう。
【０００８】
そして、駐車場の利用率が高い場合には、予約期間が厳守されなかった場合に他の駐車枠があいている可能性は低いが、駐車場の利用率が低い場合には、予約期間が厳守されなかった場合に他の駐車枠があいている可能性は高くなる。従って、利用率が低い場合に付加期間を短くしても、予約期間が厳守されなかった場合に問題が生じる可能性は少ない。そこで、利用率が低いほど付加期間を短くし、付加期間と予約期間とによって予約不可能期間を定義すれば、駐車場を効率的に利用できる可能性を高めることができる。
【０００９】
さらに、上記の目的を達成するため、予約システムは、駐車場の予約不可能期間と予約可能期間との少なくとも一方を表示する表示部と、予約可能期間内の予約を指示する予約指示部と、を備え、予約不可能期間は、駐車場の利用率が低いほど短くなる。すなわち、予約システムの利用者は、駐車場の予約不可能期間と予約可能期間との少なくとも一方の表示を視認することにより、予約可能期間から所望の期間を指示することができる。この構成において、駐車場の利用率が低いほど予約不可能期間が短くなれば、利用者によって駐車場が効率的に利用される可能性を高めることができる。
【図面の簡単な説明】
【００１０】
【図１】予約管理システムおよび予約システムを示すブロック図である。
【図２】予約受付処理のフローチャートである。
【図３】図３Ａは予約状況の例を示す図であり、図３Ｂおよび図３Ｃは利用率による付加期間の調整を示す図である。
【発明を実施するための形態】
【００１１】
ここでは、下記の順序に従って本発明の実施の形態について説明する。
（１）予約管理システムの構成：
（２）予約システムの構成：
（３）予約受付処理：
（４）他の実施形態：
【００１２】
（１）予約管理システムの構成：
図１は、本発明の一実施形態を示すブロック図である。本実施形態にかかる予約管理システム１０は、複数の利用者に利用される携帯端末と情報を授受するシステムである。予約管理システム１０は、ＣＰＵ、ＲＡＭ、ＲＯＭ等を備える制御部２０と、記録媒体３０と通信部４０とを備えている。通信部４０は、予約システム１００と無線通信を行うための装置である。すなわち、制御部２０は、通信部４０を制御することにより、任意のタイミングで予約システム１００と通信を行って、任意の情報を授受することができる。なお、本実施形態において予約システム１００は、複数の利用者が利用し得る携帯端末である。
【００１３】
記録媒体３０には、駐車場情報３０ａと予約情報３０ｂとが記録される。駐車場情報３０ａは、予約管理システム１０による予約の管理対象となる駐車場を示す情報であり、駐車場を示すＩＤ情報と駐車場の名称を示す情報と駐車場の位置を示す情報と駐車場に存在する駐車枠を示すＩＤ情報（例えば駐車枠番号等）とが含まれている。本実施形態において駐車枠には、予約された場合に利用可能になる予約駐車枠と、あいていれば利用可能である一般駐車枠との２種類が存在する。
【００１４】
そこで、駐車場情報３０ａには、各駐車枠のＩＤに対して駐車枠の種類を示す情報が対応づけられている。さらに、本実施形態においては、予約期間のマージンである付加期間の長さを調整するための調整情報を定義することが可能であり、調整情報が定義された駐車場においては、駐車場を示すＩＤに対して調整情報が対応づけられている。なお、調整情報は、種々の手法で定義されて良く、本実施形態においては、各駐車場の所有者等が予約期間のマージンを調整するために調整情報を定義し、任意の手法で予約管理システム１０に送信することで調整情報が駐車場情報３０ａに含まれた状態となる。
【００１５】
予約情報３０ｂは、駐車場の予約状況を駐車枠毎に示す情報である。本実施形態においては、予約された期間である予約期間を示す情報が日付毎に定義され、予約情報３０ｂに含まれている。また、予約は駐車枠毎に行われるため、予約期間を示す情報は、各駐車場に含まれる予約駐車枠のそれぞれについて定義され、駐車場を示すＩＤ情報および駐車枠を示すＩＤ情報に対応づけられる。なお、本実施形態においては、予約可能な期間が３０分ごとに区切られており、利用者は３０分単位で駐車枠を予約することができる。むろん、より短い単位、または長い単位毎に予約が実施可能であっても良い。
【００１６】
制御部２０は、ＲＯＭや記録媒体３０に記録されたプログラムを実行することができる。予約管理システム１０は、予約情報を管理するシステムであり、予約システム１００の利用者から予約を受け付けるため、制御部２０は予約管理プログラム２１を実行可能である。予約管理プログラム２１は、予約状況取得部２１ａと利用率取得部２１ｂと予約受付部２１ｃとを備えている。
【００１７】
予約状況取得部２１ａは、駐車場が予約されている期間である予約期間を取得する機能を制御部２０に実行させるプログラムモジュールである。すなわち、利用者が予約システム１００を操作することにより位置や名称等の検索を行うと、検索条件が予約管理システム１０に送信される。制御部２０は、予約状況取得部２１ａの機能により通信部を介して検索条件を取得し、駐車場情報３０ａを参照して検索条件に合致する駐車場を特定する。検索条件に合致する駐車場が特定されると、制御部２０は、駐車場情報３０ａを参照して駐車場の名称、位置を示す情報を取得し、通信部４０を介して予約システム１００に送信する。
【００１８】
予約システム１００は送信された駐車場の名称、位置を利用者に案内し、利用者は所望の予約日と駐車場を指示する。予約日と駐車場とが指示されると予約システム１００から当該予約日と駐車場とを示す情報が送信される。制御部２０は、通信部４０を介して予約日と駐車場とを示す情報を受信し、指示された駐車場を特定する。指示された駐車場が特定されると、制御部２０は、予約情報３０ｂを参照して予約日における当該駐車場の駐車枠毎の予約状況を取得する。
【００１９】
図３Ａにおいては、駐車枠１〜駐車枠５の計５枠を備える駐車場における予約日の予約状況の例を示している。図３Ａにおいては、予約日の７：００〜１４：００までの時間帯を３０分間隔に分割し、各時間帯において予約がされているか否かを示している。例えば、駐車枠１において７：００〜７：３０の時間帯は予約されており、１１：００〜１１：３０の時間帯は予約されていない。ハッチングが付された時間枠は付加期間であり、詳細は後述する。図３Ａに示された駐車場が指示された駐車場である場合、制御部２０は、駐車場情報３０ａを参照し、駐車枠１〜駐車枠５について３０分毎の時間帯のそれぞれで予約されているか否かを特定する。
【００２０】
利用率取得部２１ｂは、予約期間に基づいて、駐車場の利用率を取得する機能を制御部２０に実現させるプログラムモジュールである。本実施形態において、制御部２０は、予約状況取得部２１ａの機能によって取得された、駐車場の予約期間を参照し、時間帯毎の駐車場の利用率を取得する。なお、本実施形態において、利用率は、各時間帯において予約されている駐車枠の数を駐車場内の全駐車枠の数で除した値であり、各時間帯について算出される。
【００２１】
図３Ａに示す駐車場について利用率が取得される場合、制御部２０は、３０分毎の各時間帯において予約数を取得する。具体的には、図３Ａに予約数と記載した値を算出する。例えば、７：００〜７：３０の時間帯において駐車枠１〜駐車枠５の全てが予約されているため予約数は５であり、利用率は１００％である。１１：００〜１１：３０の時間帯において駐車枠３〜駐車枠５が予約されているため予約数は３であり、利用率は６０％である。制御部２０は、以上の処理を、予約日の予約状況に基づいて予約日の全時間帯について実行する。
【００２２】
予約受付部２１ｃは、利用率が低いほど短くなる付加期間を予約期間に付加して予約不可能期間とし、当該予約不可能期間を除いた予約可能期間内の予約を受け付ける機能を制御部２０に実行させるプログラムモジュールである。すなわち、制御部２０は、予約状況取得部２１ａの機能で取得された予約期間に対して、マージンとなる付加期間を付加して各駐車枠の予約不可能期間とする。そして、制御部２０は、通信部４０を介して予約システム１００に対して各駐車枠の予約不可能期間を送信する。
【００２３】
各駐車枠の予約不可能期間が送信されると、予約システム１００においては当該予約不可能期間と予約不可能期間以外の予約可能期間とを駐車枠毎に利用者に案内する。利用者が予約可能期間内の期間および駐車枠を指示すると、当該期間および駐車枠が予約管理システム１０に送信される。当該期間および駐車枠が送信されると、制御部２０は、通信部４０を介して当該期間および駐車枠を取得し、予約情報３０ｂを更新する。すなわち、制御部２０は、利用者に指示された駐車枠の予約可能期間のうち、利用者に指示された期間を予約期間として予約情報３０ｂを更新する。
【００２４】
付加期間は、予約期間を厳守しない利用者が現れても直ちに他の予約に影響を与えないようにするためのマージンであり、本実施形態において初期値は固定値である。また、本実施形態においては、予約期間の前後に付加期間が付加されることで予約不可能期間が定義される。図３Ａにおいては、連続した予約期間の前後に付加された付加期間をハッチングで示している。例えば、駐車枠１の９：００〜１０：３０までの予約期間の前後に付加期間が付加されている。なお、図３Ａにおいては、予約期間の前の時間帯に付加される付加期間をＢ付加と表記し、予約期間の後の時間帯に付加される付加期間をＡ付加と表記している。
【００２５】
このように、予約期間に対して付加期間が付加されて予約不可能期間が定義される構成において、制御部２０は、駐車場の利用率に基づいて付加期間の長さを調整する。すなわち、利用者が予約期間を厳守した場合、当該付加期間は駐車場があいている期間となるため、駐車場の利用効率を低下させてしまう。そして、駐車場の利用率が高い場合には、予約期間が厳守されなかった場合に他の駐車枠があいている可能性は低いが、駐車場の利用率が低い場合には、予約期間が厳守されなかった場合に他の駐車枠があいている可能性は高くなる。従って、利用率が低い場合に付加期間を短くしても、予約期間が厳守されなかった場合に問題が生じる可能性は少ない。
【００２６】
そこで、制御部２０は、利用率が低いほど付加期間を短くする。本実施形態において、利用率は時間帯毎に取得されるため、制御部２０は、各時間帯の利用率に基づいて各時間帯の付加期間を取得する。以上の構成によれば、駐車場がすいている時間帯であるほど短い付加期間（予約不可能期間）となるため、駐車場を効率的に利用できる可能性を高めることができる。なお、利用率に基づいて付加期間を調整するための手法としては、種々の手法を採用可能であり、本実施形態において制御部２０は、利用率に基づいて付加期間を０にしたり、調整前の付加期間の値に１以下の係数を乗じて長さを調整したりする（詳細は後述）。
【００２７】
（２）予約システムの構成：
予約システム１００は、車両の駐車場を探している利用者に利用される端末であり、本実施形態においては、利用者が携帯する携帯端末である。予約システム１００は、ＣＰＵ、ＲＡＭ、ＲＯＭ等を備える制御部２００と、通信部４００とを備えている。通信部４００は、予約管理システム１０と無線通信を行うための装置である。すなわち、制御部２００は、通信部４００を制御することにより、任意のタイミングで予約管理システム１０と通信を行って、任意の情報を授受することができる。ユーザＩ／Ｆ部４１０は、利用者の指示を入力し、また、利用者に各種の情報を提供するためのインタフェース部であり、図示しないタッチパネルディスプレイやスイッチ、スピーカ等を備えている。
【００２８】
制御部２００は、ＲＯＭや図示しない記録媒体に記録されたプログラムを実行することができる。本実施形態においては、このプログラムとして予約プログラム２１０を実行可能である。本実施形態において制御部２００は、予約プログラム２１０を実行することにより、利用者が指示した駐車場に新たな予約を入れることができる。
【００２９】
当該予約を行うため、予約プログラム２１０は、表示部２１０ａ、予約指示部２１０ｂを備えている。表示部２１０ａは、駐車場の予約不可能期間と予約可能期間との少なくとも一方を表示する機能を制御部２００に実行させるプログラムモジュールである。また、予約指示部２１０ｂは、予約可能期間内の予約を指示する機能を制御部２００に実行させるプログラムモジュールである。
【００３０】
すなわち、制御部２００は、表示部２１０ａの機能によってユーザＩ／Ｆ部４１０の表示部に予約のためのユーザインタフェースを表示させ、予約指示部２１０ｂの機能によって各種の指示を受け付けて予約を行う。具体的には、利用者がユーザＩ／Ｆ部４１０に対する操作によって予約プログラムを実行すると、制御部２０は、表示部２１０ａの機能により、駐車場の検索条件の入力画面をユーザＩ／Ｆ部４１０の表示部に表示させる。
【００３１】
利用者がユーザＩ／Ｆ部４１０の入力部によって検索条件（駐車場の名称や位置等の少なくとも一部）を入力すると、制御部２００は、予約指示部２１０ｂの機能によって当該検索条件を取得し、通信部４００を介して検索条件を予約管理システム１０に送信する。検索条件が送信されると、予約管理システム１０は、検索条件に合致する駐車場の名称および位置を示す情報を返信する。制御部２００は、通信部４００を介して当該駐車場の名称および位置を示す情報を取得し、表示部２１０ａの機能によってユーザＩ／Ｆ部４１０の表示部に表示させる。
【００３２】
利用者は、表示内容に基づいて所望の駐車場を選択し、ユーザＩ／Ｆ部４１０の入力部によって予約日と駐車場を指示する。制御部２００は、予約指示部２１０ｂの機能により当該予約日と駐車場を受け付け、通信部４００を介して予約管理システム１０に送信する。この結果、予約管理システム１０は、指示された予約日における指示された駐車場の駐車枠毎の予約不可能期間を返信する。制御部２００は、通信部４００を介して当該予約不可能期間を取得する。
【００３３】
制御部２００は、駐車枠毎の予約不可能期間に基づいて予約期間の指示を受け付けるための表示を行うが、当該表示においては利用者が予約可能期間から所望の期間を指示するための表示を行うことができればよい。従って、予約不可能期間と予約可能期間との少なくとも一方が表示されれば良いが、本実施形態において、制御部２００は、予約不可能期間と予約可能期間との双方を表示する。
【００３４】
具体的には、制御部２００は、受信した予約不可能期間以外の期間を予約可能期間とし、双方を時系列で駐車枠毎に示す画像を生成し、ユーザＩ／Ｆ部４１０の表示部に表示させる。この表示は、例えば、図３Ａに示す予約期間と付加期間とが予約不可能期間、図３Ａにおいて白い矩形で示す期間が予約可能期間として示される表示等が挙げられる。
【００３５】
利用者は、当該表示を視認し、所望の駐車枠を指示し、当該駐車枠の予約可能期間から所望の期間を指示する。制御部２００は、予約指示部２１０ｂの機能により、利用者が指示した駐車枠および期間を特定し、通信部４００を介して予約管理システム１０に送信する。この結果、予約管理システム１０においては、利用者が指示した駐車枠において、利用者が指示した期間を予約期間として予約情報３０ｂを更新する。以上の構成において、予約不可能期間は、予約期間に付加期間が付加された期間である。従って、予約不可能期間は、利用者が指示した駐車場の利用率が低いほど短くなる。このため、以上の構成により、利用者によって駐車場が効率的に利用される可能性を高めることができる。
【００３６】
（３）予約受付処理：
次に上述の構成における予約受付処理を詳細に説明する。図２は、当該予約受付処理を示すフローチャートである。本実施形態においては、利用者が予約システム１００において駐車場を検索し、検索された駐車場から利用者が所望の駐車場および予約日を指示し、指示された駐車場が予約管理システム１０において受信された場合に制御部２０が予約受付処理の実行を開始する。
【００３７】
予約受付処理が開始されると、制御部２０は、付加期間の初期値を取得する（ステップＳ１００）。すなわち、制御部２０は、記録媒体３０やＲＯＭ等を参照し、予め決められた付加期間の初期値を取得する。上述の図３Ａに示す例であれば、制御部２０は、付加期間の初期値である３０分を取得する。
【００３８】
次に、制御部２０は、予約状況取得部２１ａの機能により、予約状況を取得する（ステップＳ１０５）。すなわち、制御部２０は、予約状況取得部２１ａの処理により、予約情報３０ｂを参照し、指示された駐車場の予約日における予約状況を駐車枠毎に取得する。この結果、例えば、図３Ａに示すような駐車枠毎の予約の有無が取得される。
【００３９】
次に、制御部２０は、利用率取得部２１ｂの機能により、処理対象の時間帯を特定する（ステップＳ１１０）。本実施形態において、ステップＳ１１０〜Ｓ１５０は、ループ処理になっており、当該ループ処理の１回につき１個の時間帯についての処理が行われる。そこで、ステップＳ１１０において制御部２０は、予約日の時間帯の中でループ処理の処理対象となっていない時間帯を１個抽出し、処理対象とする。例えば、最初のステップＳ１１０が実行された場合に予約日の０：００〜０：３０までが処理対象の時間帯となり、次にステップＳ１１０が実行された場合に予約日の０：３０〜１：００までが処理対象の時間帯となり、処理対象の変更を２４：００まで行うなどの処理が行われる。
【００４０】
次に、制御部２０は、利用率取得部２１ｂの機能により、処理対象の時間帯の利用率を取得する（ステップＳ１１５）。すなわち、制御部２０は、ステップＳ１０５で取得された予約状況を参照し、処理対象の時間帯が予約期間である駐車枠の数を取得する。そして、制御部２０は、当該駐車枠の数を駐車場内の駐車枠の総数で除することによって利用率を取得する。例えば、図３Ａに示す例において、時間帯８：００〜８：３０は利用率が０％、時間帯９：００〜９：３０は利用率が２０％である。
【００４１】
次に、制御部２０は、予約受付部２１ｃの機能により、利用率が閾値以下であるか否かを判定し（ステップＳ１２０）、利用率が閾値以下である場合、制御部２０は、処理対象の時間帯の付加期間を０に設定する（ステップＳ１２５）。閾値は、利用率が低下しているか否かを判定するための指標であり、本実施形態においては付加期間を設ける意味が実質的にないほど利用率が低下しているか否かを判定するための指標である。例えば、閾値が０％である場合、処理対象の時間帯が図３Ａに示す時間帯８：００〜８：３０であれば付加期間が０に設定され、処理対象の時間帯が図３Ａに示す時間帯９：００〜９：３０であれば付加期間は０に設定されない。むろん、閾値は０％以外にも種々の値、例えば、１０％や２０％等であっても良い。また、利用率が閾値以下であった場合に付加期間が初期値より短くなれば良く、０ではない有限の値となってもよい。
【００４２】
なお、本実施形態において、付加期間は上述の閾値以外の要素によっても調整可能であり、本実施形態においては、駐車場の利用率の低下に伴って付加期間が逓減するように構成することも可能である。すなわち、駐車場の付加期間の調整を望む者（例えば、各駐車場の所有者や各駐車場の管理者等）は任意の手法で調整情報を生成し、予約管理システム１０に予め送信する。予約管理システム１０の制御部２０は、この結果、駐車場によっては、利用率を調整するための調整情報が駐車場情報３０ａに対応付けて保存された状態になる。
【００４３】
調整情報は、駐車場の利用率に対応した付加期間の変化を規定することができればよく、本実施形態においては、利用率に対して係数が対応づけられている。また、係数は０以上１以下の値であり、駐車場の利用率の低下に伴って付加期間が逓減する。従って、駐車場がすいているほど付加期間が短くなり、予約を望む利用者の予約が、予約済であるとして断られる可能性を逓減することができる。
【００４４】
本実施形態においては、利用率に対する付加期間の変化度合いを駐車枠の種類に応じて別々に定義することができる。従って、駐車場情報３０ａに含まれる調整情報は予約駐車枠に対応づけられている場合と、一般駐車枠に対応づけられている場合と、双方に対応づけられている場合とがあり得る。図３Ｂの実線は予約駐車枠の利用率と係数との関係を示す例であり、図３Ｃは一般駐車枠の利用率と係数との関係を示す例である。これらの例においては、ともに、利用率の低下に伴って付加期間が連続的に減少するが、その変化度合いは異なっている。
【００４５】
以上の構成により、利用率による付加期間の変化度合いを、駐車枠の種類に応じて異なる度合いにすることができる。このため、より多様なニーズに適合するように付加期間の特性を定義することが可能になる。なお、一般駐車枠の利用率は、例えば、終車枠に設置されたセンサや駐車場に設置されたゲート等によって計測することができる。そこで、駐車場に設置された制御部によって当該計測結果に基づいて一般駐車枠の利用率を取得し、予約管理システム１０に送信すれば、一般駐車枠の利用率に基づいて付加期間を調整することができる。なお、一般駐車枠の利用率は、現在の利用率であっても良いし、現在以前の規定の期間における利用率であっても良いし、一般駐車枠の利用率の履歴に基づいて統計的に特定された利用率であっても良く、種々の構成を採用可能である。
【００４６】
本実施形態においては、利用率によって付加期間を変化させるか否かが、駐車場情報３０ａに対して調整情報が対応づけられているか否かによって規定されている。そこで、ステップＳ１２０において、利用率が閾値以下であると判定されない場合、制御部２０は、予約受付部２１ｃの機能により、予約駐車枠による調整情報があるか否かを判定する（ステップＳ１３０）。すなわち、制御部２０は、駐車場情報３０ａを参照し、利用者が指示した駐車場に対して、予約駐車枠の調整情報が対応づけられているか否かを判定する。ステップＳ１３０において、予約駐車枠による調整情報があると判定されない場合、制御部２０は、ステップＳ１３５〜Ｓ１４５をスキップする（付加期間の調整は行わない）。
【００４７】
一方、ステップＳ１３０において、予約駐車枠による調整情報があると判定された場合、制御部２０は、予約受付部２１ｃの機能により、予約駐車枠による調整情報に基づいて付加期間を調整する（ステップＳ１３５）。すなわち、制御部２０は、駐車場情報３０ａを参照し、利用者が指示した駐車場の予約駐車枠に対応づけられた調整情報（例えば図３Ｂ）を取得し、ステップＳ１１５で取得された利用率（予約駐車枠の利用率）に対応する係数の値を取得する。そして、制御部２０は、付加期間の長さに係数を乗じた長さの期間を調整後の付加期間として取得する。
【００４８】
次に制御部２０は、予約受付部２１ｃの機能により、一般駐車枠による調整情報があるか否かを判定する（ステップＳ１４０）。すなわち、制御部２０は、駐車場情報３０ａを参照し、利用者が指示した駐車場に対して、一般駐車枠の調整情報が対応づけられているか否かを判定する。ステップＳ１４０において、一般駐車枠による調整情報があると判定されない場合、制御部２０は、ステップＳ１４５をスキップする（一般駐車枠による調整は行わない）。
【００４９】
一方、ステップＳ１４０において、一般駐車枠による調整情報があると判定された場合、制御部２０は、予約受付部２１ｃの機能により、一般駐車枠による調整情報に基づいて付加期間を調整する（ステップＳ１４５）。すなわち、制御部２０は、利用者が指示した駐車場に設置された図示しない制御部と、通信部４０を介して通信を行い、通信で得られた情報に基づいて当該駐車場における一般駐車枠の利用率を取得する。さらに、制御部２０は、駐車場情報３０ａを参照し、利用者が指示した駐車場の一般駐車枠に対応づけられた調整情報（例えば図３Ｃ）を取得し、当該一般駐車枠の利用率に対応する係数の値を取得する。そして、制御部２０は、ステップＳ１３５における調整後の付加期間の長さに係数を乗じ、得られた長さの期間を調整後の付加期間として取得する。
【００５０】
ステップＳ１２５またはＳ１４５が実行された場合、または、ステップＳ１３０，Ｓ１４０で調整情報があると判定されなかった場合、制御部２０は、全時間帯について処理が終了したか否かを判定する（ステップＳ１５０）。すなわち、制御部２０は、予約日の全時間帯を処理対象としてループ処理が終了した場合に、全時間帯について処理が終了したと判定する。ステップＳ１５０において、全時間帯について処理が終了したと判定されない場合、制御部２０は、ステップＳ１１０以降の処理を繰り返す。
【００５１】
一方、ステップＳ１５０において、全時間帯について処理が終了したと判定された場合、制御部２０は、予約受付部２１ｃの機能により、予約不可能期間を取得し、送信する（ステップＳ１５５）。すなわち、制御部２０は、ステップＳ１０５で取得された時間帯毎の予約期間に、時間帯毎の付加期間を付加して駐車枠毎の予約不可能期間を取得する。そして、制御部２０は、通信部４０を介して駐車枠毎の予約不可能期間を示す情報を予約システム１００に対して送信する。
【００５２】
予約システム１００が予約不可能期間を取得すると、利用者は、予約システム１００のユーザＩ／Ｆ部４１０に表示される予約不可能期間および予約可能期間に基づいて、所望の駐車枠および予約期間を指示する。この結果、予約システム１００から駐車枠および予約期間が送信される。そこで、制御部２０は、予約受付部２１ｃの機能により、駐車枠および予約期間を取得し、記録する（ステップＳ１６０）。すなわち、制御部２０は、利用者が指示した駐車枠および予約期間を、通信部４０を介して取得し、当該駐車枠についての予約情報３０ｂに対して指示された予約期間が予約済であることを追記する。以上の処理により、利用者は、駐車枠の予約をすることができる。
【００５３】
（４）他の実施形態：
以上の実施形態は本発明を実施するための一例であり、駐車場の利用率が短くなる付加期間を予約期間に付加する限りにおいて、他にも種々の実施形態を採用可能である。例えば、予約システム１００は、車両等に搭載された装置であっても良いし、複数の装置（例えば、クライアントとサーバ）によって実現されるシステムであっても良い。また、予約管理システム１０も各種の構成を採用可能であり、例えば、複数の装置（例えば、クライアントとサーバ）によって実現されるシステムであっても良い。
【００５４】
さらに、予約システム１００や予約管理システム１０を構成する各部（表示部２１０ａ、予約指示部２１０ｂ、予約状況取得部２１ａ、利用率取得部２１ｂ、予約受付部２１ｃ）の少なくとも一部が複数の装置に分かれて存在していても良い。むろん、上述の実施形態の一部の構成が省略された構成や、処理の順序が変動または省略された構成が実現されてもよい。例えば、予約受付処理において、ステップＳ１３０およびＳ１３５からなる処理やステップＳ１４０およびＳ１４５からなる処理の少なくとも一方の処理が省略されても良い。
【００５５】
さらに、付加期間の調整法としては、上述の実施形態以外にも種々の方法を採用可能である。例えば、ステップＳ１２０において利用率と閾値とが比較される際に、他の条件が考慮されても良い。具体的には、利用率が閾値以下であり、かつ、付加期間の前後に予約期間や付加期間が存在しない場合に、ステップＳ１２５において付加期間を０にする構成等であっても良い。この場合、例えば、処理対象の時間帯が図３Ａに示す時間帯８：００〜８：３０でれば利用率は０％であって閾値である０％以下である。そして、駐車枠１においては処理対象の前後の時間帯（７：３０〜８：００および８：３０〜９：００）は予約期間および付加期間である。従って、付加期間は０にならない。一方、駐車枠２〜駐車枠５において、処理対象の前の時間帯（７：３０〜８：００）は予約期間であるが、処理対象の後の時間帯（８：３０〜９：００）は予約期間でも、付加期間でもない。従って、これらの駐車枠２〜駐車枠５において、付加期間が０に設定される。
【００５６】
予約状況取得部は、駐車場が予約されている期間である予約期間を取得することができればよい。すなわち、駐車場を予約した利用者が指示した期間を予約期間として取得することができればよい。予約期間等の期間を示す情報の態様は、種々の態様であって良く、開始時刻と終了時刻とによって規定される構成の他、開始時刻と利用予定期間とによって規定される構成等が採用されてよい。
【００５７】
駐車場は、車両を駐車するスペースを備えた施設であれば良く、１個の駐車場に少なくとも１個の駐車枠が存在すれば良い。駐車場に複数個の駐車枠が存在する場合、各駐車枠に対して各駐車枠の予約期間が対応づけられることで予約期間が定義されることが好ましい。
【００５８】
利用率取得部は、予約期間に基づいて、駐車場の利用率を取得することができればよい。すなわち、利用率取得部は、予約期間において駐車場が利用されており、予約期間以外の期間において駐車場が利用されていないとみなし、駐車場の利用比率を取得することができればよい。利用率は、駐車場が予約されている比率であれば良く、期間の比率によって定義されても良いし、数の比率によって定義されても良く、種々の構成を採用可能である。
【００５９】
例えば、ある駐車枠について、判定期間内（例えば一日）で予約されている期間の長さを判定期間の長さで除した値が利用率であっても良いし、ある時刻や時間帯において、予約されている駐車枠の数を駐車枠の全数で除した値が利用率であっても良く、両者の組み合わせであっても良い。むろん、利用率は、駐車場全体について統計処理等が行われることで取得されても良い。
【００６０】
予約受付部は、利用率が低いほど短くなる付加期間を予約期間に付加して予約不可能期間とし、当該予約不可能期間を除いた予約可能期間内の予約を受け付けることができればよい。すなわち、予約された予約期間に対してマージンである付加期間が設けられた状態で、予約期間と付加期間とを除いた予約可能期間内の予約が受け付けられれば良い。付加期間は利用率が低いほど短くなればよく、付加期間は段階的に変化しても良いし，連続的に変化しても良い。付加期間を調整する際には、上述の実施形態のように、時間帯毎に調整されても良いし、全時間帯において共通の付加期間となるように調整されても良く、種々の手法を採用可能である。
【００６１】
付加期間は予約期間に対して付加される期間であれば良く、予約期間の前に付加されても良いし、予約期間の後に付加されても良いし、双方であっても良い。予約を受け付ける際には、予約不可能期間内の期間を受け付けることができればよく、予約不可能期間内が利用者に提示されてもよいし、予約可能期間が利用者に提示されても良い。予約不可能期間が利用者に提示される場合、提示された期間の中から利用者によって予約期間が指示される。予約可能期間が利用者に提示される場合、提示された期間以外の期間の中から利用者によって予約期間が指示される。
【００６２】
上述の実施形態において、駐車場は、予約された場合に利用可能になる予約駐車枠とあいていれば利用可能である一般駐車枠とを含んでいたが、駐車場はいずれか一方を備えていても良いし、他の駐車枠（例えば、普段は月極の駐車枠や所有者専用の駐車枠であるが、当該駐車枠の利用者が利用しない期間のみ一般の利用が可能になり、または、当該期間のみ予約によって利用が可能になる駐車枠）が含まれていても良い。
【００６３】
さらに、利用率による付加期間の調整においては、ある種類の予約枠の利用率が他の種類の予約枠の利用率に応じた付加期間の特性に影響を与えても良い。例えば、一般駐車枠の利用率が上昇した場合、上昇していない場合よりも予約駐車枠の利用率に対応する付加期間の長さが長くなる構成であっても良い。図３Ｂの破線は、一般駐車枠の利用率に応じて予約駐車枠の利用率に応じた付加期間の特性が変化した状態を示している。すなわち、予約駐車枠と一般駐車枠とを備える駐車場において、予約期間が厳守されなかった場合、一般駐車枠があいていれば問題は生じないが、一般駐車場があいていない場合、予約済の利用者が駐車不可能になり得る。
【００６４】
そこで、一般駐車枠が混雑している場合、予約駐車枠の付加期間を長くすることが好ましい。図３Ｂの破線はそのための一例であり、例えば、一般駐車場の利用率が基準値を超えている場合、ステップＳ１３０で制御部２０が破線の調整情報を参照し、当該調整情報に基づいて係数を決定して付加期間を調整する構成を採用してもよい。この場合、一般駐車場の利用率が基準値を超えていなければ、ステップＳ１３０で制御部２０は実線の調整情報を参照する。この構成によれば、予約駐車枠以外の一般駐車場の利用率に応じて予約駐車枠の利用率に応じた付加期間の特性を調整することができる。むろん、一般駐車場の利用率の上昇の有無が基準値に基づいて判定され、上昇の有無に基づいて予約駐車枠の利用率に対する付加期間の特性が選択される構成の他、一般駐車場の利用率に対して連続的に当該特性が変化する構成等が採用されてもよい。
【００６５】
さらに、本発明のように、駐車場の利用率が短くなる付加期間を予約期間に付加する手法は、プログラムや方法としても適用可能である。また、以上のようなシステム、プログラム、方法は、単独の装置として実現される場合や、複数の装置によって実現される場合、車両に備えられる各部と共有の部品を利用して実現される場合が想定可能であり、各種の態様を含むものである。例えば、以上のような装置を備えたナビゲーションシステムや方法、プログラムを提供することが可能である。また、一部がソフトウェアであり一部がハードウェアであったりするなど、適宜、変更可能である。さらに、システムを制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【符号の説明】
【００６６】
１０…予約管理システム、２０…制御部、２１…予約管理プログラム、２１ａ…予約状況取得部、２１ｂ…利用率取得部、２１ｃ…予約受付部、３０…記録媒体、３０ａ…駐車場情報、３０ｂ…予約情報、４０…通信部、１００…予約システム、２００…制御部、２１０…予約プログラム、２１０ａ…表示部、２１０ｂ…予約指示部、４００…通信部、４１０…ユーザＩ／Ｆ部
【図１】
2019020827.tif 000003
【図２】
2019020827.tif 000004
【図３】
2019020827.tif 000005